(57)【要約】【課題】  車両の車検に関するデータべースである車検データベースを利用して利用者の乗る車両を駐車場に駐車させる駐車システムの運用方法を提供しようとする。【解決手段】  従来の駐車システムの運用システムに変わって、車両ナンバーを入手する車両ナンバー入手工程と、入手した前記車両ナンバーを車検データベースに送信し前記車両ナンバーに関連づけれる車両の寸法と重量とに関する情報である車両情報を車検データべースからを受信する車両情報取得工程と、車検データべースから受信した前記車両情報を基に前記駐車場データベースから前記車両情報に係る寸法と重量とを持つ車両の駐車可能な駐車空間を持つ駐車場である検索駐車場を検索する駐車場検索工程と、を備える。【選択図】    図２
2018067275.tif 000002
【特許請求の範囲】
【請求項１】
車両の車検に関するデータべースである車検データベースを利用して利用者の乗る車両を駐車場に駐車させるための駐車システムの運用方法であって、
車両ナンバーを入手する車両ナンバー入手工程と、
入手した前記車両ナンバーを車検データベースに送信し前記車両ナンバーに関連づけれる車両の寸法と重量とに関する情報である車両情報を車検データべースからを受信する車両情報取得工程と、
を備えること特徴とする駐車システムの運用方法。
【請求項２】
駐車場に関する情報のデータベースである駐車場データべースを準備する準備工程と、
車検データべースから受信した前記車両情報を基に前記駐車場データベースから前記車両情報に係る寸法と重量とを持つ車両の駐車可能な駐車空間を持つ駐車場である検索駐車場を検索する駐車場検索工程と、
を備えることを特徴とする駐車システムの運用方法。
【請求項３】
位置に関する情報である位置情報を入手する位置情報入手工程と、
を備え、
前記駐車場検索工程が、車検データべースから受信した前記車両情報を基に前記駐車場データベースから前記車両情報に係る寸法と重量を持つ車両の駐車可能な駐車空間をもつ駐車場であって入手した前記位置情報に係る位置に関連づけられる駐車場である検索駐車場を検索する、
ことを特徴とする請求項２に記載の駐車システムの運用方法。
【請求項４】
前記準備工程が車両ナンバーと前記車両情報とを関連づけて保存するデータベースである車両データべースを準備し、
前記車両情報取得工程で送信した前記車両ナンバーと受信した前記車両情報とを関連づけて前記車両データべースに保存する車両データべース保存工程と、
を備えることを特徴とする請求項３に記載の駐車システムの運用方法。
【請求項５】
入手した前記車両ナンバーに関連づけられる前記車両情報を前記車両データべースからを取得する簡易車両情報取得工程と、
を備え、
前記簡易車両情報取得工程で前記車両ナンバーに関連づけられる前記車両情報を取得できないときに前記車両情報取得工程を実行する、
ことを特徴とする請求項４に記載の駐車システムの運用方法。
【請求項６】
前記車両データベースに保存される車両ナンバーを車検データベースに送信し前記車両ナンバーに関連づけれる前記車両情報を車検データべースからを受信し、送信した前記車両ナンバーと受信した前記車両情報とを用いて前記車両データベースを更新する車両データベース更新工程と、
を備えることを特徴とする請求項５に記載の駐車システムの運用方法。
【請求項７】
車両ナンバーを持つ車両の利用者に与えられた顧客ＩＤを入手する顧客ＩＤ入手工程と、
を備え、
前記車両データベース保存工程は前記車両情報取得工程で送信した前記車両ナンバーを持つ車両の利用者に与えられた顧客ＩＤと受信した前記車両情報とを関連づけて前記車両データべースに保存し、
前記簡易車両情報取得工程は入手した前記顧客ＩＤに関連づけられる前記車両情報を前記車両データべースからを取得する、
ことを特徴とする請求項６に記載の駐車システムの運用方法。
【請求項８】
駐車場に関する情報のデータベースである駐車場データべースを準備する準備工程と、
位置に関する情報である位置情報を入手する位置情報入手工程と、
車検データべースから受信した前記車両情報を基に前記駐車場データベースから前記車両情報に係る寸法と重量とを持つ車両の駐車可能な駐車空間を持つ駐車場である検索駐車場を検索する駐車場検索工程と、
を備え、
前記駐車場検索工程が、車検データべースから受信した前記車両情報を基に前記駐車場データベースから前記車両情報に係る寸法と重量を持つ車両の駐車可能な駐車空間をもつ駐車場であって入手した前記位置情報に係る位置に関連づけられる駐車場である検索駐車場を検索する、
ことを特徴とする請求項１に記載の駐車システムの運用方法。
【請求項９】
車両ナンバーと前記車両情報とを関連づけて保存するデータベースである車両データべースを準備する準備工程と、
前記車両情報取得工程で送信した前記車両ナンバーと受信した前記車両情報とを関連づけて前記車両データべースに保存する車両データべース保存工程と、
を備えることを特徴とする請求項１に記載の駐車システムの運用方法。
【請求項１０】
車両ナンバーと前記車両情報とを関連づけて保存するデータベースである車両データべースを準備する準備工程と、
前記車両情報取得工程で送信した前記車両ナンバーと受信した前記車両情報とを関連づけて前記車両データべースに保存する車両データべース保存工程と、
入手した前記車両ナンバーに関連づけられる前記車両情報を前記車両データべースからを取得する簡易車両情報取得工程と、
を備え、
前記簡易車両情報取得工程で前記車両ナンバーに関連づけられる前記車両情報を取得できないときに前記車両情報取得工程を実行する、
ことを特徴とする請求項１に記載の駐車システムの運用方法。
【請求項１１】
車両ナンバーと前記車両情報とを関連づけて保存するデータベースである車両データべースを準備する準備工程と、
前記車両情報取得工程で送信した前記車両ナンバーと受信した前記車両情報とを関連づけて前記車両データべースに保存する車両データべース保存工程と、
前記車両データベースに保存される車両ナンバーを車検データベースに送信し前記車両ナンバーに関連づけれる前記車両情報を車検データべースからを受信し、送信した前記車両ナンバーと受信した前記車両情報とを用いて前記車両データベースを更新する車両データベース更新工程と、
を備えることを特徴とする請求項１に記載の駐車システムの運用方法。
【請求項１２】
車両ナンバーと前記車両情報とを関連づけて保存するデータベースである車両データべースを準備する準備工程と、
前記車両情報取得工程で送信した前記車両ナンバーと受信した前記車両情報とを関連づけて前記車両データべースに保存する車両データべース保存工程と、
車両ナンバーを持つ車両の利用者に与えられた顧客ＩＤを入手する顧客ＩＤ入手工程と、
入手した前記車両ナンバーに関連づけられる前記車両情報を前記車両データべースからを取得する簡易車両情報取得工程と、
を備え、
前記車両データベース保存工程は前記車両情報取得工程で送信した前記車両ナンバーを持つ車両の利用者に与えられた顧客ＩＤと受信した前記車両情報とを関連づけて前記車両データべースに保存し、
前記簡易車両情報取得工程は入手した前記顧客ＩＤに関連づけられる前記車両情報を前記車両データべースからを取得する、
ことを特徴とする請求項１に記載の駐車システムの運用方法。
【発明の詳細な説明】
【技術分野】
【０００１】
本発明は、利用者の乗る車両を駐車場に駐車させる駐車システムに係る。特に、車検データベースを利用して利用者の乗る車両を駐車場に駐車させる駐車システムの運用方法に関する。
【背景技術】
【０００２】
複数の車両を駐車させるのに駐車場を用いることがある。
駐車場は、車両を入出庫空間と駐車空間との間で移載させて駐車空間に駐車させる。
例えば、機械式駐車場は、車両をパレットに乗せ、パレットを入出庫空間と駐車空間との間で移載させて駐車空間に駐車させる。
例えば、自走式駐車場は、自走する車両を入出庫口から受入れて、車両が自走して駐車空間に止まる。
【０００３】
操作盤が駐車場に設置されている。
利用者は入庫操作・出庫操作をおこなうために車両から降りて操作盤にたいして操作をおこなう。
【０００４】
上述のとおり、駐車場を操作するには車両を降りる必要があるが、雨天のときなど不便であるとの意見がある。
また、駐車場の機種により操作方法が異なっており、利用者が操作方法を事前に学習する必要がある。
【０００５】
そこで、携帯端末で駐車場の操作を行うことが提案されている。
発明者らは、モバイル端末やカーナビにて駐車場の操作を行うことを提案する。
モバイル端末は、携帯電話、スマートホン、携帯タブレット、パソコン、等である。
操作インターフェースを統一することで、どの駐車場を利用する場合も同じ操作で入庫・出庫操作をおこなうことができる。
また、駐車場とモバイル端末やカーナビとを無線でつなぐことにより車両から降りずに入庫操作・出庫操作を行える。
【０００６】
利用者の運転する車両には、各種の大きさと各種の重量を持つ車両が含まれる。
一方、駐車場にも、各種の大きさと各種の耐荷重をもつ駐車空間をもつ駐車場がある。
例えば、駐車空間は所定の巾寸法と、長さ寸法と、高さ寸法とをもつ。
また、駐車空間は、所定の耐荷重をもつことがある。
車両が大きすぎ、または重すぎて、駐車空間に駐車できないことがある。
そこで、駐車場が車両の駐車可能な駐車空間を持っているかどうかを知りたいという要望があった。
例えば、車両が駐車場に到着する前に、駐車場が車両の駐車可能な駐車空間を持っているかどうかを知りたい。
【０００７】
一方、我が国の陸運局が運営する車両情報提供サービスのもつデータベースは、車検にかかる情報を基ちしている。例えば、データベースは、車両ナンバーと車両の寸法、重量を紐づけている。
【０００８】
発明者は、我が国の陸運局が運営するデータベースを利用して利用者の乗る車両を駐車させる駐車場の運用する方法を考案した。
【発明の概要】
【発明が解決しようとする課題】
【０００９】
本発明は以上に述べた問題点に鑑み案出されたもので、車両の車検に関するデータべースである車検データベースを利用して利用者の乗る車両を駐車場に駐車させる駐車システムの運用方法を提供しようとする。
【課題を解決するための手段】
【００１０】
上記目的を達成するため、本発明に係る車両の車検に関するデータべースである車検データベースを利用して利用者の乗る車両を駐車場に駐車させる駐車システムの運用方法であって、車両ナンバーを入手する車両ナンバー入手工程と、入手した前記車両ナンバーを車検データベースに送信し前記車両ナンバーに関連づけれる車両の寸法と重量とに関する情報である車両情報を車検データべースからを受信する車両情報取得工程と、を備えるものとした。
【００１１】
上記本発明の構成により、車両ナンバー入手工程は、車両ナンバーを入手する。車両情報取得工程は、入手した前記車両ナンバーを車検データベースに送信し前記車両ナンバーに関連づけられる車両の寸法と重量とに関する情報である車両情報を車検データべースからを受信する。
その結果、車両ナンバーを入手し、入手した前記車両ナンバーを車検データベースに送信し前記車両ナンバーに関連づけられる車両の寸法と重量とに関する情報である車両情報を車検データべースからを受信する様にしたので、車両ナンバーを持つ車両の寸法と重量とに関する情報を得ることができる。
【００１２】
以下に、本発明の実施形態に係る駐車場の運用方法を説明する。本発明は、以下に記載した実施形態のいずれか、またはそれらの中の二つ以上が組み合わされた態様を含む。
【００１３】
本発明の実施形態に係る駐車場の運用方法は、駐車場に関する情報のデータベースである駐車場データべースを準備する準備工程と、車検データべースから受信した前記車両情報を基に前記駐車場データベースから前記車両情報に係る寸法と重量とを持つ車両の駐車可能な駐車空間を持つ駐車場である検索駐車場を検索する駐車場検索工程と、を備える。
上記の実施形態の構成により、駐車場データべースが、駐車場に関する情報のデータベースである。駐車場検索工程は、車検データべースから受信した前記車両情報を基に前記駐車場データベースから前記車両情報に係る寸法と重量とを持つ車両の駐車可能な駐車空間を持つ駐車場である検索駐車場を検索する。
その結果、車検データべースから受信した前記車両情報を基に前記駐車場データベースから前記車両情報に係る寸法と重量とを持つ車両の駐車可能な駐車空間を持つ駐車場である検索駐車場を検索する様にしたので、車両の駐車可能な駐車場を知ることができる。
【００１４】
本発明の実施形態に係る駐車場の運用方法は、位置に関する情報である位置情報を入手する位置情報入手工程と、を備え、前記駐車場検索工程が、車検データべースから受信した前記車両情報を基に前記駐車場データベースから前記車両情報に係る寸法と重量を持つ車両の駐車可能な駐車空間をもつ駐車場であって入手した前記位置情報に係る位置に関連づけられる駐車場である検索駐車場を検索する。
上記の実施形態の構成により、位置情報入手工程は、位置に関する情報である位置情報を入手する。前記駐車場検索工程は、車検データべースから受信した前記車両情報を基に前記駐車場データベースから前記車両情報に係る寸法と重量を持つ車両の駐車可能な駐車空間をもつ駐車場であって入手した前記位置情報に係る位置に関連づけられる駐車場である検索駐車場を検索する。
その結果、位置に関する情報である位置情報を入手し、車検データべースから受信した前記車両情報を基に前記駐車場データベースから前記車両情報に係る寸法と重量を持つ車両の駐車可能な駐車空間をもつ駐車場であって入手した前記位置情報に係る位置に関連づけられる駐車場である検索駐車場を検索する様にしたので、位置に関連し車両の駐車可能な駐車場を知ることができる。
【００１５】
本発明の実施形態に係る駐車場の運用方法は、前記準備工程が車両ナンバーと前記車両情報とを関連づけて保存するデータベースである車両データべースを準備し、前記車両情報取得工程で送信した前記車両ナンバーと受信した前記車両情報とを関連づけて前記車両データべースに保存する車両データべース保存工程と、を備える。
上記の実施形態の構成により、車両データべースが、車両ナンバーと前記車両情報とを関連づけて保存するデータベースである。車両データべース保存工程は、前記車両情報取得工程で送信した前記車両ナンバーと受信した前記車両情報とを関連づけて前記車両データべースに保存する。
その結果、前記車両情報取得工程で送信した前記車両ナンバーと受信した前記車両情報とを関連づけて前記車両データべースに保存する様にしたので、車両データベースをもちいて車両ナンバーをヒントとして前記車両ナンバーに関連づけられる車両の寸法と重量とに関する情報を得ることができる。
【００１６】
本発明の実施形態に係る駐車場の運用方法は、入手した前記車両ナンバーに関連づけれる前記車両情報を前記車両データべースからを取得する簡易車両情報取得工程と、を備え、前記簡易車両情報取得工程で前記車両ナンバーに関連づけられる前記車両情報を取得できないときに前記車両情報取得工程を実行する。
上記の実施形態の構成により、簡易車両情報取得工程は、入手した前記車両ナンバーに関連づけれる前記車両情報を前記車両データべースからを取得する。前記簡易車両情報取得工程で前記車両ナンバーに関連づけられる前記車両情報を取得できないときに前記車両情報取得工程を実行する。
その結果、入手した前記車両ナンバーに関連づけれる前記車両情報を前記車両データべースから取得できないときに前記車両情報取得工程を実行する様にしたので、車両ナンバーをもつ車両の寸法と重量とに関する情報を得ることができる。
【００１７】
本発明の実施形態に係る駐車場の運用方法は、前記車両データベースに保存される車両ナンバーを車検データベースに送信し前記車両ナンバーに関連づけれる前記車両情報を車検データべースからを受信し、送信した前記車両ナンバーと受信した前記車両情報とを用いて前記車両データベースを更新する前記車両データベース更新工程と、
を備える。
上記の実施形態の構成により、車両データベース更新工程は、前記車両データベースに保存される車両ナンバーを車検データベースに送信し前記車両ナンバーに関連づけれる前記車両情報を車検データべースからを受信し、送信した前記車両ナンバーと受信した前記車両情報とを用いて前記車両データベースを更新する
その結果、前記車両データベースに保存される車両ナンバーを車検データベースに送信し前記車両ナンバーに関連づけれる前記車両情報を車検データべースからを受信し、送信した前記車両ナンバーと受信した前記車両情報とを用いて前記車両データベースを更新する様にしたので、車両データベースを最新のものに維持できる。
【００１８】
本発明の実施形態に係る駐車場の運用方法は、車両ナンバーを持つ車両の利用者に与えられた顧客ＩＤを入手する顧客ＩＤ入手工程と、を備え、前記車両データベース保存工程は前記車両情報取得工程で送信した前記車両ナンバーを持つ車両の利用者に与えられた顧客ＩＤと受信した前記車両情報とを関連づけて前記車両データべースに保存し、簡易車両情報取得工程は入手した前記顧客ＩＤに関連づけられる前記車両情報を前記車両データべースからを取得する。
上記の実施形態の構成により、顧客ＩＤ入手工程は、車両ナンバーを持つ車両の利用者に与えられた顧客ＩＤを入手する。前記車両データベース保存工程は、前記車両情報取得工程で送信した前記車両ナンバーを持つ車両の利用者に与えられた顧客ＩＤと受信した前記車両情報とを関連づけて前記車両データべースに保存する。簡易車両情報取得工程は、入手した前記顧客ＩＤに関連づけられる前記車両情報を前記車両データべースからを取得する、
その結果、車両ナンバーを持つ車両の利用者に与えられた顧客ＩＤを入手し、前記車両情報取得工程で送信した前記車両ナンバーを持つ車両の利用者に与えられた顧客ＩＤと受信した前記車両情報とを関連づけて前記車両データべースに保存し、入手した前記顧客ＩＤに関連づけられる前記車両情報を前記車両データべースからを取得する様にしたので、利用者のもつ車両の寸法と重量とに関する情報を得ることができる。
【発明の効果】
【００１９】
以上説明したように、本発明に係る車両の車検に関するデータべースである車検データベースを利用して利用者の乗る車両を駐車させる駐車場の運用方法は、その構成により、以下の効果を有する。
車両ナンバーを入手し、入手した前記車両ナンバーを車検データベースに送信し前記車両ナンバーに関連づけられる車両の寸法と重量とに関する情報である車両情報を車検データべースからを受信する様にしたので、車両ナンバーを持つ車両の寸法と重量とに関する情報を得ることができる。
また、車検データべースから受信した前記車両情報を基に前記駐車場データベースから前記車両情報に係る寸法と重量とを持つ車両の駐車可能な駐車空間を持つ駐車場である検索駐車場を検索する様にしたので、車両の駐車可能な駐車場を知ることができる。
また、位置に関する情報である位置情報を入手し、車検データべースから受信した前記車両情報を基に前記駐車場データベースから前記車両情報に係る寸法と重量を持つ車両の駐車可能な駐車空間をもつ駐車場であって入手した前記位置情報に係る位置に関連づけられる駐車場である検索駐車場を検索する様にしたので、位置に関連し車両の駐車可能な駐車場を知ることができる。
また、前記車両情報取得工程で送信した前記車両ナンバーと受信した前記車両情報とを関連づけて前記車両データべースに保存する様にしたので、車両データベースをもちいて車両ナンバーをヒントとして前記車両ナンバーに関連づけられる車両の寸法と重量とに関する情報を得ることができる。
また、入手した前記車両ナンバーに関連づけれる前記車両情報を前記車両データべースから取得できないときに前記車両情報取得工程を実行する様にしたので、車両ナンバーをもつ車両の寸法と重量とに関する情報を得ることができる。
また、前記車両データベースに保存される車両ナンバーを車検データベースに送信し前記車両ナンバーに関連づけれる前記車両情報を車検データべースからを受信し、送信した前記車両ナンバーと受信した前記車両情報とを用いて前記車両データベースを更新する様にしたので、車両データベースを最新のものに維持できる。
また、車両ナンバーを持つ車両の利用者に与えられた顧客ＩＤを入手し、前記車両情報取得工程で送信した前記車両ナンバーを持つ車両の利用者に与えられた顧客ＩＤと受信した前記車両情報とを関連づけて前記車両データべースに保存し、入手した前記顧客ＩＤに関連づけられる前記車両情報を前記車両データべースからを取得する様にしたので、利用者のもつ車両の寸法と重量とに関する情報を得ることができる。
その結果、車両の車検に関するデータべースである車検データベースを利用して利用者の乗る車両を駐車させる駐車場の運用方法を提供できる。
【図面の簡単な説明】
【００２０】
【図１】本発明の実施形態に係る駐車システムの概念図である。
【図２】本発明の第一の実施形態に係る駐車システムの運用方法である。
【図３】本発明の第二の実施形態に係る駐車システムの運用方法である。
【図４】本発明の第三の実施形態に係る駐車システムの運用方法である。
【図５】本発明の第四の実施形態に係る駐車システムの運用方法である。
【図６】本発明の実施形態に係る駐車システム用の運用ソフトウエアである。
【図７】本発明の実施形態に係る駐車システムの作用説明図その１である。
【図８】本発明の実施形態に係る駐車システムの作用説明図その２である。
【図９】本発明の実施形態に係る駐車システムの作用説明図その３である。
【図１０】本発明の実施形態に係る駐車システムに係る駐車場の概念図である。
【図１１】本発明の実施形態に係る駐車システムに係る駐車場の寸法表である。
【図１２】本発明の実施形態に係る駐車システムの概念図である。
【図１３】本発明の実施形態に係る駐車システムの運用図その１である。
【図１４】本発明の実施形態に係る駐車システムの運用図その２である。
【図１５】各種の駐車装置の説明図である。
【発明を実施するための形態】
【００２１】
以下、本発明を実施するための形態を、図面を参照して説明する。
【００２２】
最初に、本発明の実施形態にかかる駐車システムを、図を基に、説明する。
図１は、本発明の実施形態に係る駐車システムの概念図である。
【００２３】
本発明の実施形態にかかる駐車システム１００は、サーバ１１０と駐車場１２０と複数の外部通信コントロール部１２５と電気通信機器１３０とで構成される。
本発明の実施形態にかかる駐車システム１００は、サーバ１１０と複数の駐車場１２０と複数の外部通信コントロール部１２５と複数の電気通信機器１３０とで構成されてもよい。
【００２４】
サーバ１１０は、外部通信コントロール部１２５と電子通信回線を介して電気通信機器と通信できるものである。
サーバ１１０は、外部通信コントロール部１２５と電子通信網を介して電気通信機器と通信できるてもよい。
例えば、電子通信網はインターネット、携帯電話網である。
サーバ１１０は、駐車場１２０を管理できる。
サーバ１１０は、複数の駐車場１２０を管理できてもよい。
サーバ１１０は、ＣＰＵ、メモリ、記憶装置、各種のＩ／Ｏで構成される。
サーバ１１０は、Ｉ／Ｏを介して電子通信網１４０にアクセスできる。
サーバは、サーバ用のソフトウエアがインストールされる。
サーバ用のソフトウエアは、サーバ１１０に各種の手順を実現させる。
サーバ１１０は、複数の駐車場１２０を集中管理できてもよい。
サーバ１１０は、顧客ＩＤとパーキングＩＤとを関連づけて記憶しても良い。
顧客ＩＤを与えられる利用者は、顧客ＩＤに関連づけられるパーキングＩＤを与えられる駐車場への入出庫を許可される。
サーバ１１０が、外部から車両ナンバーを受信し、車両ナンバーを備える車両を駐車できる駐車場を検索しても良い。
【００２５】
駐車場１２０は、車両５０を駐車空間に駐車させる。
駐車場１２０は、駐車場本体１２１と駐車場制御装置１２４とで構成される。
駐車場本体１２１は、駐車場の本体である。
駐車場１２０は、複数の車両５０を駐車空間に駐車させてもよい。
駐車場１２０は、入出庫口の前に一時的に車両を停止させる一時停止空間Ｋをもつ。
駐車場１２０は、車両５０を入出庫口を通過させて入出庫空間１２２にいれる。
駐車場１２０は、車両５０を入出庫空間１２２と駐車空間との間で搬送できてもよい。
入出庫空間１２２は、利用者が車両を駐車場に入庫または出庫させる空間である。
ここで、入出庫は入庫または出庫の意味である。
駐車場１２０は、車両５０が駐車場に入るための入出庫口を開閉できる入出庫扉１２３を持つ。
通常、入出庫扉１２３が入出庫空間１２２の入出庫口に設けられる。
【００２６】
入庫するときは以下の手順で車両を入庫させる。
入出庫扉が開く。利用者６０は、車両を開いた入出庫扉の開いた入出庫口から入出庫空間にいれる。利用者６０が入出庫空間で車両からおりて。入出庫扉の開いた入出庫口を通過して入出庫空間からでる。入出庫扉が閉まる。駐車場が、車両５０を入出庫空間から駐車空間に移送する。
【００２７】
出庫するときは以下の手順で出庫させる。
駐車場が出庫させたい車両を駐車空間から入出庫空間１２２に移送する。入出庫扉１２３が開く。利用者６０が、入出庫扉１２３の開いた入出庫口を通過して入出庫空間１２２に入る。利用者６０が、車両５０に乗り、車両５０が入出庫扉の開いた入出庫口を通過して入出庫空間からでる。入出庫扉が閉まる。
図１０は、駐車場１２０と入出庫空間１２２の前に止まる車両５０との様子を示す。
【００２８】
外部通信コントロール部１２５は、入出庫口の前に位置する利用者の操作する電気通信機器１３０と通信可能な電子機器である。
通信は、有線通信、無線通信、音声通信のうちの一つであってもよい。
外部通信コントロール部１２５は、入出庫口の前に位置する車両に乗った利用者の操作する電気通信機器１３０と通信可能な電子機器である。
外部通信コントロール部１２５は、ＣＰＵ、メモリ、Ｉ／Ｏ、ソフトウエアとで構成される。
外部通信コントロール部１２５は、駐車場制御装置１２４と通信可能である。
外部通信コントロール部１２５は、駐車場制御装置１２４に電気的に接続されても良い。
外部通信コントロール部１２５が、外部通信コントロール部本体と受信機とで構成されてもよい。
受信機は、入出庫口の前に設けられる車両を一時停止させる領域である一時停止領域Ｋの内側に位置する電気通信機器と通信できる指向性をもつ。
受信機は、入出庫扉１２３の近傍に設けられても良い。
受信機の指向性は、一時停止領域Ｋの内部をカバーしていてもよい。
一時停止領域Ｋは、入出庫口の前に設けられる車両を一時停止させる領域である。
外部通信コントロール部１２５は、サーバ１１０と通信可能である。
外部通信コントロール部１２５は、電子通信網１４０を介してサーバ１１０と通信可能であってもよい。
【００２９】
電気通信機器１３０は、車両に乗る利用者の操作するものである。
電気通信機器１３０は、電子通信網１４０を介してサーバ１１０と通信できる。
電気通信機器１３０は、ＣＰＵ、メモリ、記憶装置、各種のＩ／Ｏで構成される。
電気通信機器１３０は、Ｉ／Ｏを介して電子通信網１４０にアクセスできる。
電気通信機器１３０は、電気通信機器用のソフトウエアがインストールされる。
電気通信機器用のソフトウエアは、電気通信機器１３０に各種の手順を実現させる。
電気通信機器１３０は、利用者６０により操作される。
例えば、電気通信機器１３０は、スマートフォン、携帯タブレット、パソコン、等である。
例えば、電気通信機器１３０は、ナビゲーション装置である。
利用者６０が、電気通信機器１３０を用いてサーバに通信し、自分の運転する車両を駐車できる駐車場を探しても良い。
【００３０】
以下に、外部通信コントロール部１２５と電気通信機器１３０との関係を説明する。
外部通信コントロール部１２５は、入出庫口の前に位置する利用者の操作する電気通信機器と通信可能である。
外部通信コントロール部１２５は、その外部通信コントロール部１２５が設けられる入出庫空間の前に位置する車両に乗る利用者の操作する電気通信機器と通信できる。
外部通信コントロール部１２５と電気通信機器１３０は、電波、音響等の媒体を用いて近距離通信をする。
例えば、外部通信コントロール部１２５と電気通信機器１３０とは、無線通信をもちいて通信をする。
例えば、外部通信コントロール部１２５と電気通信機器１３０は、ブルートゥース（登録商標）規格をもちいて電波通信をする。
例えば、外部通信コントロール部１２５と電気通信機器１３０は、音響通信をする。
【００３１】
以下に、本発明の第一乃至第四の実施形態にかかる駐車システムの運用方法を説明する。
最初に  本発明の第一の実施形態にかかる駐車システムの運用方法を、図を基に、説明する。
図２は、本発明の第一の実施形態に係る駐車システムの運用方法である。
【００３２】
本発明の第一の実施形態に係る駐車場の運用方法は、車検データベース７０を利用して利用者の乗る車両を駐車場に駐車させるための運用方法である。
車検データベースは、車両の車検に関するデータべースである。
例えば、車検データべースは、我が国の陸運局は運営する車検情報提供サービスである。
車検データベースに車両ナンバーを入力すると、車検データベースにから車両ナンバーに関連づけれる車両情報を受信できる。
車両情報は、車両の寸法と重量とに関する情報である。
車両の寸法は、車検上の車両の最大巾寸法、最大長さ寸法、最大高さ寸法を含む。
車両の重量は、車検上の重量である。
【００３３】
第一の実施形態にかかる駐車場の運用方法は、車両ナンバー入手工程Ｓ２０とで構成される。
第一の実施形態にかかる駐車場の運用方法は、準備工程Ｓ１０と車両ナンバー入手工程Ｓ２０と車両情報取得工程Ｓ４０とで構成されてもよい。
第一の実施形態にかかる駐車場の運用方法は、準備工程Ｓ１０と車両ナンバー入手工程Ｓ２０と車両情報取得工程Ｓ４０と検索駐車場通知工程Ｓ８０とで構成されてもよい。
【００３４】
準備工程Ｓ１０は、駐車場データベース１１２を準備する工程である。
駐車場データベース１１２は、駐車場に関する情報である駐車場情報のデータベースである。
駐車場情報は、駐車場に含まれる駐車空間に駐車可能な車両の寸法と重量を含む。
駐車場情報は、駐車場の位置と駐車場に含まれる駐車空間に駐車可能な車両の寸法と重量とを含んできてもよい。
【００３５】
車両ナンバー入手工程Ｓ２０は、車両ナンバーを入手する工程である。
例えば、車両ナンバー入手工程Ｓ２０は、カメラを利用した画像処理により車両ナンバーを入手する。
例えば、車両ナンバー入手工程Ｓ２０は、駐車場の利用者が電気通信機器に車両ナンバーを入力し、電気通信機器から車両ナンバーを入手する。
【００３６】
車両情報取得工程Ｓ４０は、入手した車両ナンバーを車検データベース７０に送信し、車両ナンバーに関連づけれる車両情報を車検データべース７０からを受信する工程である。
例えば、入手した車両ナンバーを我が国の陸運局は運営する車検情報提供サービスに送信し、車両ナンバーに関連づけれる車両情報を車検情報提供サービスから受信する。
【００３７】
駐車場検索工程Ｓ５０は、車検データべースから受信した車両情報を基に駐車場データベースから車両情報に係る寸法と重量とを持つ車両を駐車可能な駐車空間を持つ駐車場である検索駐車場を検索する工程である。
例えば、車両の寸法より大きな受け入れ可能寸法をもち、かつ車両の重量より大きな右受け入れ可能重量をもつ駐車空間をもつ駐車場を検索駐車場とする。
【００３８】
検索駐車場通知工程Ｓ８０は、検索駐車場を通知する工程である。
検索駐車場通知工程Ｓ８０は、車両ナンバーを通知してきたものに検索駐車場を通知する工程である。
例えば、車両ナンバーを通知してきた他システム８０に検索駐車場を通知する。
例えば、車両ナンバーを通知してきた電気通信機器１３０に検索駐車場を通知する。
【００３９】
次に、本発明の第二の実施形態に係る駐車システムの運用方法を、図を基に、説明する。
図３は、本発明の第二の実施形態に係る駐車システムの運用方法である。
【００４０】
本発明の第二の実施形態に係る駐車システムの運用方法は、車検データベース７０を利用して利用者の乗る車両を駐車場に駐車させるための方法である。
車検データベースは、車両の車検に関するデータべースである。
例えば、車検データべースは、我が国の陸運局は運営する車検情報提供サービスである。
車検データベースに車両ナンバーを入力すると、車検データベースにから車両ナンバーに関連づけれる車両情報を受信できる。
車両情報は、車両の寸法と重量とに関する情報である。
車両の寸法は、車検上の車両の最大巾寸法、最大長さ寸法、最大高さ寸法を含む。
車両の重量は、車検上の重量である。
【００４１】
本発明の第二の実施形態にかかる駐車場の運用方法は、準備工程Ｓ１０と車両ナンバー入手工程Ｓ２０と位置情報入手工程Ｓ３０と車両情報取得工程Ｓ４０と駐車場検索工程Ｓ５０とで構成される。
本発明の第二の実施形態にかかる駐車場の運用方法は、準備工程Ｓ１０と車両ナンバー入手工程Ｓ２０と位置情報入手工程Ｓ３０と車両情報取得工程Ｓ４０と駐車場検索工程Ｓ５０と検索駐車場通知工程Ｓ８０とで構成されてもよい。
【００４２】
準備工程Ｓ１０は、駐車場データベース１１２を準備する工程である。
駐車場データベース１１２は、駐車場に関する情報である駐車場情報のデータベースである。
駐車場情報は、駐車場に含まれる駐車空間に駐車可能な車両の寸法と重量を含む。
駐車場情報は、駐車場の位置と駐車場に含まれる駐車空間に駐車可能な車両の寸法と重量とを含んできてもよい。
【００４３】
車両ナンバー入手工程Ｓ２０は、車両ナンバーを入手する工程である。
例えば、車両ナンバー入手工程Ｓ２０は、カメラを利用した画像処理により車両ナンバーを入手する。
例えば、車両ナンバー入手工程Ｓ２０は、駐車場の利用者が電気通信機器に車両ナンバーを入力し、電気通信機器から車両ナンバーを入手する。
【００４４】
位置情報入手工程Ｓ３０は、位置に関する情報である位置情報を入手する工程である。
例えば、位置情報は、検索したい駐車場の位置に関する情報である。
例えば、位置情報は、利用者が現在いる位置の情報である。
例えば、利用者が行こうとする目的地の位置の情報である。
【００４５】
車両情報取得工程Ｓ４０は、入手した車両ナンバーを車検データベース７０に送信し、車両ナンバーに関連づけれる車両情報を車検データべース７０からを受信する工程である。
例えば、入手した車両ナンバーを我が国の陸運局は運営する車検情報提供サービスに送信し、車両ナンバーに関連づけれる車両情報を車検情報提供サービスから受信する。
【００４６】
駐車場検索工程Ｓ５０は、車検データべースから受信した車両情報を基に駐車場データベースから車両情報に係る寸法と重量とを持つ車両の駐車可能な駐車空間を持つ駐車場である検索駐車場を検索する工程である。
駐車場検索工程Ｓ５０は、車検データべースから受信した車両情報を基に駐車場データベースから車両情報に係る寸法と重量を持つ車両の駐車可能な駐車空間をもつ駐車場であって入手した位置情報に係る位置に関連づけられる駐車場である検索駐車場を検索する工程であってもよい。
【００４７】
検索駐車場通知工程Ｓ８０は、検索駐車場を通知する工程である。
検索駐車場通知工程Ｓ８０は、車両ナンバーを通知してきたものに検索駐車場を通知する工程である。
例えば、車両ナンバーを通知してきた他システム８０に検索駐車場を通知する。
例えば、車両ナンバーを通知してきた電気通信機器１３０に検索駐車場を通知する。
【００４８】
次に、本発明の第三の実施形態に係る駐車場の運用方法は、車検データベース７０を利用して利用者の乗る車両を駐車場に駐車させるための方法である。
車検データベースは、車両の車検に関するデータべースである。
例えば、車検データべースは、我が国の陸運局は運営する車検情報提供サービスである。
車検データベースに車両ナンバーを入力すると、車検データベースにから車両ナンバーに関連づけれる車両情報を受信できる。
車両情報は、車両の寸法と重量とに関する情報である。
車両の寸法は、車検上の車両の最大巾寸法、最大長さ寸法、最大高さ寸法を含む。
車両の重量は、車検上の重量である。
【００４９】
次に、本発明の第三の実施形態に係る駐車システムの運用方法を、図を基に、説明する。
図４は、本発明の第三の実施形態に係る駐車システムの運用方法である。
【００５０】
本発明の第三の実施形態にかかる駐車場の運用方法は、準備工程Ｓ１０と車両ナンバー入手工程Ｓ２０と位置情報入手工程Ｓ３０と車両情報取得工程Ｓ４０と簡易車両情報取得工程Ｓ４５と駐車場検索工程Ｓ５０と車両データべース保存工程Ｓ６０と車両データベース更新工程Ｓ７０とで構成される。
本発明の第三の実施形態にかかる駐車場の運用方法は、準備工程Ｓ１０と車両ナンバー入手工程Ｓ２０と位置情報入手工程Ｓ３０と車両情報取得工程Ｓ４０と簡易車両情報取得工程Ｓ４５と駐車場検索工程Ｓ５０と車両データべース保存工程Ｓ６０と車両データベース更新工程Ｓ７０と検索駐車場通知工程Ｓ８０とで構成されてもよい。
【００５１】
準備工程Ｓ１０は、駐車場データベース１１２と車両データベース１１３とを準備する工程であってもよい。
駐車場データベース１１２は、駐車場に関する情報である駐車場情報のデータベースである。
駐車場情報は、駐車場に含まれる駐車空間に駐車可能な車両の寸法と重量を含む。
駐車場情報は、駐車場の位置と駐車場に含まれる駐車空間に駐車可能な車両の寸法と重量とを含んでいてもよい。
車両データベース１１３は、車両ナンバーと車両情報とを関連づけて保存するデータベースである。
車両情報は、車両の寸法と重量とに関する情報である。
車両の寸法は、車検上の車両の最大巾寸法、最大長さ寸法、最大高さ寸法を含む。
車両の重量は、車検上の重量である。
【００５２】
車両ナンバー入手工程Ｓ２０は、車両ナンバーを入手する工程である。
例えば、車両ナンバー入手工程Ｓ２０は、カメラを利用した画像処理により車両ナンバーを入手する。
例えば、車両ナンバー入手工程Ｓ２０は、駐車場の利用者が電気通信機器に車両ナンバーを入力し、電気通信機器から車両ナンバーを入手する。
【００５３】
位置情報入手工程Ｓ３０は、位置に関する情報である位置情報を入手する工程である。
例えば、位置情報は、検索したい駐車場の位置に関する情報である。
例えば、位置情報は、利用者が現在いる位置の情報である。
例えば、利用者が行こうとする目的地の位置の情報である。
【００５４】
車両情報取得工程Ｓ４０は、入手した車両ナンバーを車検データベース７０に送信し、車両ナンバーに関連づけれる車両情報を車検データべース７０からを受信する工程である。
例えば、入手した車両ナンバーを我が国の陸運局は運営する車検情報提供サービスに送信し、車両ナンバーに関連づけれる車両情報を車検情報提供サービスから受信する。
【００５５】
簡易車両情報取得工程Ｓ４５は、入手した車両ナンバーに関連づけられる車両情報を車両データべースからを取得する工程である。
簡易車両情報取得工程S４５で車両ナンバーに関連づけられる車両情報を取得できないときに車両情報取得工程Ｓ４０を実行する。
【００５６】
駐車場検索工程Ｓ５０は、車検データべースから受信した車両情報を基に駐車場データベースから車両情報に係る寸法と重量とを持つ車両の駐車可能な駐車空間を持つ駐車場である検索駐車場を検索する工程である。
駐車場検索工程Ｓ５０は、車検データべースから受信した車両情報を基に駐車場データベースから車両情報に係る寸法と重量を持つ車両の駐車可能な駐車空間をもつ駐車場であって入手した位置情報に係る位置に関連づけられる駐車場である検索駐車場を検索する工程であってもよい。
【００５７】
車両データべース保存工程Ｓ６０は、記車両情報取得工程で送信した車両ナンバーと受信した車両情報とを関連づけて車両データべース１１３に保存する工程である。
車両データべース保存工程Ｓ６０は、記車両情報取得工程で送信した車両ナンバーを持つ車両の利用者に与えられた顧客ＩＤと受信した車両情報とを関連づけて車両データべース１１３に保存する工程であってもよい。
【００５８】
車両データベース更新工程Ｓ７０は、車両データベースに保存される車両ナンバーを車検データベースに送信し車両ナンバーに関連づけれる車両情報を車検データべースからを受信し、送信した車両ナンバーと受信した車両情報とを用いて車両データベース１１３を更新する工程である。
所定のタイミングで車両データベース更新工程Ｓ７０を実行する。
例えば、利用者に要求されたタイミングで、車両データベース更新工程Ｓ７０を実行する。
【００５９】
検索駐車場通知工程Ｓ８０は、検索駐車場を通知する工程である。
検索駐車場通知工程Ｓ８０は、車両ナンバーを通知してきたものに検索駐車場を通知する工程である。
例えば、車両ナンバーを通知してきた他システム８０に検索駐車場を通知する。
例えば、車両ナンバーを通知してきた電気通信機器１３０に検索駐車場を通知する。
【００６０】
次に、本発明の第四の実施形態に係る駐車システムの運用方法を、図を基に、説明する。
図５は、本発明の第四の実施形態に係る駐車システムの運用方法である。
【００６１】
本発明の第四の実施形態に係る駐車場の運用方法は、車検データベース７０を利用して利用者の乗る車両を駐車場に駐車させるための方法である。
車検データベースは、車両の車検に関するデータべースである。
例えば、車検データべースは、我が国の陸運局は運営する車検情報提供サービスである。
車検データベースに車両ナンバーを入力すると、車検データベースにから車両ナンバーに関連づけれる車両情報を受信できる。
車両情報は、車両の寸法と重量とに関する情報である。
車両の寸法は、車検上の車両の最大巾寸法、最大長さ寸法、最大高さ寸法を含む。
車両の重量は、車検上の重量である。
【００６２】
第四の実施形態にかかる駐車場の運用方法は、準備工程Ｓ１０と車両ナンバー入手工程Ｓ２０と顧客ＩＤ入手工程Ｓ２５と位置情報入手工程Ｓ３０と車両情報取得工程Ｓ４０と簡易車両情報取得工程Ｓ４５と駐車場検索工程Ｓ５０と車両データべース保存工程Ｓ６０と車両データベース更新工程Ｓ７０とで構成される。
第四の実施形態にかかる駐車場の運用方法は、準備工程Ｓ１０と車両ナンバー入手工程Ｓ２０と顧客ＩＤ入手工程Ｓ２５と位置情報入手工程Ｓ３０と車両情報取得工程Ｓ４０と簡易車両情報取得工程Ｓ４５と駐車場検索工程Ｓ５０と車両データべース保存工程Ｓ６０と車両データベース更新工程Ｓ７０と検索駐車場通知工程Ｓ８０とで構成される。
【００６３】
準備工程Ｓ１０は、駐車場データベース１１２を準備する工程である。
準備工程Ｓ１０は、駐車場データベース１１２と車両データベース１１３とを準備する工程であってもよい。
駐車場データベース１１２は、駐車場に関する情報である駐車場情報のデータベースである。
駐車場情報は、駐車場に含まれる駐車空間に駐車可能な車両の寸法と重量を含む。
駐車場情報は、駐車場の位置と駐車場に含まれる駐車空間に駐車可能な車両の寸法と重量とを含んできてもよい。
車両データベース１１３は、車両ナンバーと車両情報とを関連づけて保存するデータベースである。
車両情報は、車両の寸法と重量とに関する情報である。
車両の寸法は、車検上の車両の最大巾寸法、最大長さ寸法、最大高さ寸法を含む。
車両の重量は、車検上の重量である。
【００６４】
車両ナンバー入手工程Ｓ２０は、車両ナンバーを入手する工程である。
例えば、車両ナンバー入手工程Ｓ２０は、カメラを利用した画像処理により車両ナンバーを入手する。
例えば、車両ナンバー入手工程Ｓ２０は、駐車場の利用者が電気通信機器に車両ナンバーを入力し、電気通信機器から車両ナンバーを入手する。
【００６５】
顧客ＩＤ入手工程Ｓ２５は、車両ナンバーを持つ車両の利用者に与えられた顧客ＩＤを入手する工程である。
例えば、利用者の操作する電気通信機器から顧客ＩＤを入手する。
顧客ＩＤは、利用者が駐車システムから与えられるＩＤである。
【００６６】
位置情報入手工程Ｓ３０は、位置に関する情報である位置情報を入手する工程である。
例えば、位置情報は、検索したい駐車場の位置に関する情報である。
例えば、位置情報は、利用者が現在いる位置の情報である。
例えば、利用者が行こうとする目的地の位置の情報である。
【００６７】
車両情報取得工程Ｓ４０は、入手した車両ナンバーを車検データベース７０に送信し、車両ナンバーに関連づけれる車両情報を車検データべース７０からを受信する工程である。
例えば、入手した車両ナンバーを我が国の陸運局は運営する車検情報提供サービスに送信し、車両ナンバーに関連づけれる車両情報を車検情報提供サービスから受信する。
【００６８】
簡易車両情報取得工程Ｓ４５は、入手した車両ナンバーに関連づけられる車両情報を車両データべースからを取得する工程である。
簡易車両情報取得工程S３５で車両ナンバーに関連づけられる車両情報を取得できないときに車両情報取得工程Ｓ４０を実行する。
【００６９】
簡易車両情報取得工程Ｓ４５は、入手した顧客ＩＤに関連づけられる車両情報を車両データべースからを取得する工程であってもよい。
簡易車両情報取得工程S３５で顧客ＩＤに関連づけられる車両情報を取得できないときに車両情報取得工程Ｓ４０を実行する。
【００７０】
駐車場検索工程Ｓ５０は、車検データべースから受信した車両情報を基に駐車場データベースから車両情報に係る寸法と重量とを持つ車両の駐車可能な駐車空間を持つ駐車場である検索駐車場を検索する工程である。
駐車場検索工程Ｓ５０は、車検データべースから受信した車両情報を基に駐車場データベースから車両情報に係る寸法と重量を持つ車両の駐車可能な駐車空間をもつ駐車場であって入手した位置情報に係る位置に関連づけられる駐車場である検索駐車場を検索する工程であってもよい。
【００７１】
車両データべース保存工程Ｓ６０は、記車両情報取得工程で送信した車両ナンバーと受信した車両情報とを関連づけて車両データべース１１３に保存する工程である。
車両データべース保存工程Ｓ６０は、記車両情報取得工程で送信した車両ナンバーを持つ車両の利用者に与えられた顧客ＩＤと受信した車両情報とを関連づけて車両データべース１１３に保存する工程であってもよい。
車両データべース保存工程Ｓ６０は、記車両情報取得工程で送信した車両ナンバーと車両ナンバーを持つ車両の利用者に与えられた顧客ＩＤと受信した車両情報とを関連づけて車両データべース１１３に保存する工程であってもよい。
【００７２】
車両データベース更新工程Ｓ７０は、車両データベースに保存される車両ナンバーを車検データベースに送信し車両ナンバーに関連づけれる車両情報を車検データべースからを受信し、送信した車両ナンバーと受信した車両情報とを用いて車両データベース１１３を更新する工程である。
所定のタイミングで車両データベース更新工程Ｓ７０を実行する。
例えば、利用者に要求されたタイミングで、車両データベース更新工程Ｓ７０を実行する。
【００７３】
検索駐車場通知工程Ｓ８０は、検索駐車場を通知する工程である。
検索駐車場通知工程Ｓ８０は、車両ナンバーを通知してきたものに検索駐車場を通知する工程である。
例えば、車両ナンバーを通知してきた他システム８０に検索駐車場を通知する。
例えば、車両ナンバーを通知してきた電気通信機器１３０に検索駐車場を通知する。
【００７４】
以下に、本発明の実施形態にかかる駐車システム用の運用ソフトウエアを、図を基に、説明する。
図６は、本発明の実施形態に係る駐車システム用の運用ソフトウエアである。
【００７５】
本発明の実施形態にかかる駐車システム用の運用ソフトウエアは、車両の車検に関するデータべースである車検データベースを利用して利用者の乗る車両を駐車場に駐車させるための駐車システムのソフトウエアである。
サーバ１１０は、サーバ本体１１１で構成されてもよい。
サーバ１１０は、サーバ本体１１１と駐車場データベース１１２とで構成されてもよい。
サーバ１１０は、サーバ本体１１１と駐車場データベース１１２と車両データベース１１３とで構成されてもよい。
【００７６】
本発明の実施形態にかかる駐車システムの運用ソフトウエアは、サーバに、車両ナンバー入手機能Ｆ２０と顧客ＩＤ入手機能Ｆ２５とを、実現させる。
本発明の実施形態にかかる駐車システムの運用ソフトウエアは、サーバに、車両ナンバー入手機能Ｆ２０と顧客ＩＤ入手機能Ｆ２５と車両情報取得機能Ｆ４０とを、実現させるてもよい。
本発明の実施形態にかかる駐車システムの運用ソフトウエアは、サーバに、車両ナンバー入手機能Ｆ２０と顧客ＩＤ入手機能Ｆ２５と車両情報取得機能Ｆ４０と検索駐車場通知機能Ｆ８０とを、実現させるてもよい。
本発明の実施形態にかかる駐車システムの運用ソフトウエアは、サーバに、車両ナンバー入手機能Ｆ２０と顧客ＩＤ入手機能Ｆ２５と車両情報取得機能Ｆ４０と位置情報入手機能Ｆ３０と駐車場検索機能Ｆ５０と検索駐車場通知機能Ｆ８０とを、実現させてもよい。
本発明の実施形態にかかる駐車システムの運用ソフトウエアは、サーバに、車両ナンバー入手機能Ｆ２０と顧客ＩＤ入手機能Ｆ２５と車両情報取得機能Ｆ４０と簡易車両情報取得機能Ｆ４５と位置情報入手機能Ｆ３０と駐車場検索機能Ｆ５０と検索駐車場通知機能Ｆ８０とを、実現させてもよい。
本発明の実施形態にかかる駐車システムの運用ソフトウエアは、サーバに、車両ナンバー入手機能Ｆ２０と顧客ＩＤ入手機能Ｆ２５と車両情報取得機能Ｆ４０と簡易車両情報取得機能Ｆ４５と位置情報入手機能Ｆ３０と駐車場検索機能Ｆ５０と車両データべース保存機能Ｆ６０と車両データベース更新機能Ｆ７０と検索駐車場通知機能Ｆ８０とを、実現させてもよい。
【００７７】
車両ナンバー入手機能Ｆ２０と顧客ＩＤ入手機能Ｆ２５と車両情報取得機能Ｆ４０と簡易車両情報取得機能Ｆ４５と位置情報入手機能Ｆ３０と駐車場検索機能Ｆ５０と車両データべース保存機能Ｆ６０と車両データベース更新機能Ｆ７０と検索駐車場通知機能Ｆ８０とは、各々に、車両ナンバー入手工程Ｓ２０と顧客ＩＤ入手工程Ｓ２５と車両情報取得工程Ｓ４０と簡易車両情報取得工程Ｓ４５と位置情報入手工程Ｓ３０と駐車場検索工程Ｓ５０と車両データべース保存工程Ｓ６０と車両データベース更新工程Ｓ７０と検索駐車場通知工程Ｓ８０を実行するための機能である。
【００７８】
以下に、本発明の実施形態にかかる駐車システムの運用方法にかかる作用の３タイプを、図を基に、説明する。
【００７９】
最初に、本発明の実施形態にかかる駐車システムの運用方法にかかる作用その１を、図を基に、説明する。
図７は、本発明の実施形態に係る駐車システムの作用説明図その１である。
【００８０】
上述した本発明の第一の実施形態にかかる駐車システムの運用方法を実行するソフトウエアが、サーバ１１０にインストールされる。
サーバ１１０は、ＣＰＵとメモリとインターフェースとで構成される。
【００８１】
（他システムナンバー取）
他システムが、カメラで車両ナンバーを撮影し、画像処理により「車両ナンバー」を読み取る。
【００８２】
（問い合わせ）
他システム８０が、サーバ１１０に「車両ナンバー」を送信する。
【００８３】
（情報検索）
サーバ１１０が、陸運局が運営する車両情報提供サービスに「車両ナンバー」を送信する。
【００８４】
（情報取得）
サーバ１１０が、陸運局が運営する車両情報提供サービスから「車両情報」を受信する。
サーバ１１０が、「車両情報」を基に駐車場データベース１１２から「検索駐車場」を検索し、
【００８５】
（回答）
サーバ１１０が、「検索駐車場」を他システムに送信する。
【００８６】
次に、本発明の実施形態にかかる駐車システムの運用方法にかかる作用その２を、図を基に、説明する。
図８は、本発明の実施形態に係る駐車システムの作用説明図その２である。
【００８７】
上述した本発明の第三の実施形態にかかる駐車システムの運用方法を実行するソフトウエアが、サーバ１１０にインストールされる。
【００８８】
（他システムナンバー取）
他システムが、カメラで車両ナンバーを撮影し、画像処理により「車両ナンバー」を読み取る。
【００８９】
（問い合わせ）
他システム８０が、サーバ１１０に「車両ナンバー」を送信する。
【００９０】
（情報検索）
サーバ１１０が、「車両ナンバー」を基に車両データベースから「車両情報」を取得する。
「車両ナンバー」を基に車両データベースから「車両情報」を取得できないとき、サーバ１１０が、陸運局が運営する車両情報提供サービスに「車両ナンバー」を送信する。
【００９１】
（情報取得）
サーバ１１０が、陸運局が運営する車両情報提供サービスから「車両情報」を受信する。
サーバ１１０が、「車両情報」を基に駐車場データベース１１２から「検索駐車場」を検索し、
【００９２】
（回答）
サーバ１１０が、「検索駐車場」を他システムに送信する。
【００９３】
サーバ１１０が、車両データベース１１３を更新する。
【００９４】
次に、本発明の実施形態にかかる駐車システムの運用方法にかかる作用その３を、図を基に、説明する。
図９は、本発明の実施形態に係る駐車システムの作用説明図その３である。
【００９５】
上述した本発明の第四の実施形態にかかる駐車システムの運用方法を実行するソフトウエアが、サーバ１１０にインストールされる。
【００９６】
（ナンバー入力）
電子通信機器１３０が、利用者に「車両ナンバー」を入力させる。
【００９７】
（問い合わせ）
電子通信機器１３０が、サーバ１１０に「車両ナンバー」を送信する。
【００９８】
（情報検索）
サーバ１１０が、「車両ナンバー」を基に車両データベースから「車両情報」を取得する。
「車両ナンバー」を基に車両データベースから「車両情報」を取得できないとき、サーバ１１０が、陸運局が運営する車両情報提供サービスに「車両ナンバー」を送信する。
【００９９】
（情報取得）
サーバ１１０が、陸運局が運営する車両情報提供サービスから「車両情報」を受信する。サーバ１１０が、「車両情報」を基に駐車場データベース１１２から「検索駐車場」を検索する。
【０１００】
（回答）
サーバ１１０が、「検索駐車場」を他システムに送信する。
【０１０１】
サーバ１１０が、車両データベース１１３を更新する。
【０１０２】
以下に、本発明の実施形態にかかる駐車システムの運用方法を用いてする入出庫操作の手順を、図を基に、まとめて簡単に説明する。
以下では、利用者が駐車場の操作盤を直接に操作する場合の操作手順の説明を省略する。
図１０は、本発明の実施形態に係る駐車場の入出庫の通信データ対応図である。
【０１０３】
利用者が電気通信機器１３０の表面上のバーチャルな操作盤に操作をして、サーバを介して駐車場を操作する。
利用者が、電気通信機器１３０に対して操作「操作手順」をする。
電気通信機器１３０は、操作「操作手順」に対応する信号「操作指令」を  外部通信コントロール部１２５に送信する。
外部通信コントロール部１２５は、駐車場制御装置１２４に信号「操作指令」に対応する信号「制御指令」を送信する。
駐車場制御装置１２４は、信号「制御指令」を基に駐車場を制御して、駐車場に入出庫動作をさせる。
駐車場制御装置１２４は、駐車場１２０が所定の入出庫動作を完了すると、外部通信コントロール部１２５に信号「操作結果」を送る。
外部通信コントロール部１２５がサーバ１１０に信号「操作結果」を送る。
サーバ１１０は、電気通信機器１３０に信号「操作結果」を送る。
電気通信機器１３０は利用者に「操作結果」を知らせる。
【０１０４】
次に、本発明の実施形態の駐車システム１００の運用方法を利用して駐車場を利用する際の作用を、入庫操作機能と出庫操作機能に分けて、図を用いて、説明する。
図１２は、本発明の実施形態にかかる駐車システム１００における入庫操作機能を示している。
入庫操作機能は、（駐車場の検索）（入庫前の認証）（入庫開始から完了まで）で構成される。
【０１０５】
（駐車場の検索）
利用者が駐車システム１００を利用して、車両を駐車させたい駐車場を選ぶ。
利用者６０は、電気通信機器３０を操作する。
利用者６０は、電気通信機器３０を利用して、車両ナンバーと目的位置をサーバに送信する。
利用者６０は、サーバから目的地の付近にある駐車可能な駐車場のリストを受け取る。
利用者６０は、駐車場のリストから駐車場を選んで、予約する。
利用者６０は、車両を運転して目的に行く。
【０１０６】
（入庫前の認証）
利用者が車両を運転して入出庫空間の前に止まる。
外部通信コントロール部１２５と電気通信機器１３０とが近距離通信する。
駐車場１２０の外部通信コントロール部１２５と電気通信機器１３０が近距離通信をし、利用者を認証する。
サーバ１１０が、電気通信機器１３０を特定電気通信機器に認定し、駐車場を特定駐車場に認定する。
【０１０７】
（入庫開始）〜（扉が開くまで）
利用者が電気通信機器１３０の画面を見て、入庫操作を開始させる。
空パレットが入出庫空間に位置する。
入出庫扉が開く。
【０１０８】
（扉開後）〜（利用者の駐車完了）
利用者が、車両を運転して入出庫空間にいれる。
利用者が、車両から降りて、入出庫空間の外にでる。
【０１０９】
（利用者の駐車完了）〜（入庫完了）
利用者が、電気通信機器１３０の画面をみて、入出庫空間の安全を確認する。
利用者が、入出庫空間に人、物がないことを確認すると、電気通信機器１３０の画面の安全確認釦を押す。
入出庫空間扉が閉じる。
入庫操作を完了する。
【０１１０】
図１３は、本発明の実施形態にかかる駐車システム１００における出庫操作機能を示している。
入庫操作機能は、（出庫前の認証）（出庫開始から完了まで）で構成される。
【０１１１】
（出庫前の認証）
特定利用者が入出庫空間の前に立つ。
外部通信コントロール部１２５と電気通信機器１３０とが近距離通信する。
駐車場１２０の外部通信コントロール部１２５と電気通信機器１３０が近距離通信をし、互いのパーキングＩＤと顧客ＩＤとを交換する。
サーバ１１０が、利用者を認証する。
【０１１２】
（出庫開始）〜（扉が開くまで）
利用者が電気通信機器１３０の画面を見て、出庫操作を開始させる。
呼びだした車両を搭載するパレットが入出庫空間に位置する。
入出庫扉が開く、
【０１１３】
（扉開後）〜（利用者の車両移動）
利用者が、入出庫空間に入る。
利用者が、車両に乗り込み、車両を入出庫空間の外にだす。
【０１１４】
（利用者の車両移動）〜（出庫完了）
利用者が、電気通信機器１３０の画面をみて、入出庫空間の安全を確認する。
利用者が、入出庫空間に人、物がないことを確認すると、電気通信機器１３０の画面の安全確認釦を押す。
入出庫空間扉が閉じる。
出庫操作を完了する。
【０１１５】
また、本発明の実施形態に係る駐車システムの運用方法は、その構成により、以下の効果を有する。
車両ナンバーを入手し、入手した車両ナンバーを車検データベース７０に送信し車両ナンバーに関連づけられる車両の寸法と重量とに関する情報である車両情報を車検データべース７０からを受信する様にしたので、車両ナンバーを持つ車両の寸法と重量とに関する情報を得ることができる。
また、車検データべース７０から受信した車両情報を基に駐車場データベース１１２から車両情報に係る寸法と重量とを持つ車両の駐車可能な駐車空間を持つ駐車場である検索駐車場を検索する様にしたので、車両の駐車可能な駐車場を知ることができる。
また、位置に関する情報である位置情報を入手し、車検データべース７０から受信した車両情報を基に駐車場データベース１１２から車両情報に係る寸法と重量を持つ車両の駐車可能な駐車空間をもつ駐車場であって入手した位置情報に係る位置に関連づけられる駐車場である検索駐車場を検索する様にしたので、位置に関連し車両の駐車可能な駐車場を知ることができる。
また、車両情報取得工程Ｓ４０で送信した車両ナンバーと受信した車両情報とを関連づけて車両データべース１１３に保存する様にしたので、車両データベース１１３をもちいて車両ナンバーをヒントとして車両ナンバーに関連づけられる車両の寸法と重量とに関する情報を得ることができる。
また、入手した車両ナンバーに関連づけれる車両情報を車両データべース１１３から取得できないときに車両情報取得工程Ｓ４０を実行する様にしたので、車両ナンバーをもつ車両の寸法と重量とに関する情報を得ることができる。
また、車両データベース１１３に保存される車両ナンバーを車検データベース７０に送信し車両ナンバーに関連づけれる車両情報を車検データべース７０からを受信し、送信した車両ナンバーと受信した車両情報とを用いて車両データベース１１３を更新する様にしたので、車両データベースを最新のものに維持できる。
また、車両ナンバーを持つ車両の利用者に与えられた顧客ＩＤを入手し、車両情報取得工程Ｓ４０で送信した車両ナンバーを持つ車両の利用者に与えられた顧客ＩＤと受信した車両情報とを関連づけて車両データべース１１３に保存し、入手した顧客ＩＤに関連づけられる車両情報を車両データべースからを取得する様にしたので、利用者のもつ車両の寸法と重量とに関する情報を得ることができる。
【０１１６】
本発明は以上に述べた実施形態に限られるものではなく、発明の要旨を逸脱しない範囲で各種の変更が可能である。
サーバ１１０は、電気通信機器、外部通信コントロール部と通信可能なものとして説明したが、これに限定されない。例えば、サーバ１１０は、電気通信機器、外部通信コントロール部と通信可能なサーバとは別個のものであってもよい。
【符号の説明】
【０１１７】
Ｋ  一時停止領域
５０  車両
６０  利用者
７０  車検データベース
８０  他システム
１００  駐車システム
１１０  サーバ
１１１  サーバ本体
１１２  駐車場データベース
１１３  車両データベース
１２０  駐車場
１２１  駐車場本体
１２２  入出庫空間
１２３  入出庫扉
１２４  駐車場制御装置
１２５  外部通信コントロール部
１３０  電気通信機器
１４０  電子通信網
Ｓ１０  準備工程
Ｓ２０  車両ナンバー入手工程
Ｓ２５  顧客ＩＤ入手工程
Ｓ３０  位置情報入手工程
Ｓ４０  車両情報取得工程
Ｓ４５  簡易車両情報取得工程
Ｓ５０  駐車場検索工程
Ｓ６０  車両データべース保存工程
Ｓ７０  車両データベース更新工程
Ｓ８０  検索駐車場通知工程
Ｆ２０  車両ナンバー入手機能
Ｆ２５  顧客ＩＤ入手機能
Ｆ３０  位置情報入手機能
Ｆ４０  車両情報取得機能
Ｆ４５  簡易車両情報取得機能
Ｆ５０  駐車場検索機能
Ｆ６０  車両データべース保存機能
Ｆ７０  車両データベース更新機能
Ｆ８０  検索駐車場通知機能
【先行技術文献】
【特許文献】
【０１１８】
【特許文献１】特開２０１５−１０８２２７号
【図１】
2018067275.tif 000003
【図２】
2018067275.tif 000004
【図３】
2018067275.tif 000005
【図４】
2018067275.tif 000006
【図５】
2018067275.tif 000007
【図６】
2018067275.tif 000008
【図７】
2018067275.tif 000009
【図８】
2018067275.tif 000010
【図９】
2018067275.tif 000011
【図１０】
2018067275.tif 000012
【図１１】
2018067275.tif 000013
【図１２】
2018067275.tif 000014
【図１３】
2018067275.tif 000015
【図１４】
2018067275.tif 000016
【図１５】
2018067275.tif 000017